(57)【要約】【課題】  エレベータ操作盤のフェースプレートに小さなピッチで配設して小型の操作盤を構成することができる押しボタンスイッチを提供する。【解決手段】  押しボタンスイッチＡは、透光性材料で形成された押圧部１を有し、この押圧部１の側面に対向して第１、第２、第３の光源としてのＬＥＤ３１，３２，３３が設けられ、これらＬＥＤ３１，３２，３３の点灯で、各光源ごとに対応する押圧部１の表面の領域が照光される。そして、第１、第２、第３の光源としてのＬＥＤ３１，３２，３３が押圧部１の一つの側面側にまとめて配置されている。【選択図】    図３
2009249170.tif 000002
【特許請求の範囲】
【請求項１】
透光性材料からなる押圧部の側面に対向して複数種の光源が設けられ、これら光源の点灯で、各光源ごとに対応する前記押圧部の表面の領域が照光されるエレベータの押しボタンスイッチにおいて、
前記複数種の光源の全部が、前記押圧部の一つの側面側にまとめて配置されていることを特徴とするエレベータの押しボタンスイッチ。
【請求項２】
請求項１に記載のエレベータの押しボタンスイッチにおいて、
前記複数種の光源に対する通電を切替えて複数種の光源の一部や全部を点灯させることが可能な切替え手段を備えることを特徴とするエレベータの押しボタンスイッチ。
【請求項３】
請求項１または２に記載のエレベータの押しボタンスイッチにおいて、
前記複数種の光源の点灯色がその複数種ごとで異なることを特徴とするエレベータの押しボタンスイッチ。
【請求項４】
請求項１に記載のエレベータの押しボタンスイッチを複数備え、その各押しボタンスイッチにおける押圧部の各光源が配置する側の側面が一方向に向く状態で各押しボタンスイッチが互いに隣り合うようにフェースプレートに配設されていることを特徴とするエレベータ操作盤。
【発明の詳細な説明】
【技術分野】
【０００１】
この発明は、エレベータのかご内操作盤や乗り場操作盤などに設けられるエレベータの押しボタンスイッチおよびその押しボタンスイッチを用いたエレベータ操作盤に関する。
【背景技術】
【０００２】
エレベータのかご内やエレベータホールには、エレベータの利用者が操作するかご内操作盤や乗り場操作盤が設けられている。これらの操作盤はフェースプレートを備え、このフェースプレートにかごの行先階やかご呼びの登録をするための複数の押しボタンスイッチが並設されている。
【０００３】
このような押しボタンスイッチとして、特開２００７−８４２０６公報に開示されているような二重照光式のものが知られている。この二重照光式の押しボタンスイッチの構造を図５および図６に示してある。図５は押しボタンスイッチＡの正面図で、図６は同じく側面図である。
【０００４】
この押しボタンスイッチＡは、透光性材料で形成された押圧部１を有し、この押圧部１の各角部の側面に突片１ａが一体に突出形成されている。押圧部１の裏面側には、押圧部１と対向して基板２が設けられている。この基板２には、押圧部１の各突片１ａと摺動自在に嵌合するガイドピン３が設けられているとともに、基板２と各突片１ａとの間にそれぞれスプリング４が設けられ、これらスプリング４により押圧部１が押圧方向の反対方向つまり基板２から離間する方向に弾性的に付勢されている。基板２には押圧部１と対向してスイッチ素子５が設けられ、押圧部１をスプリング４に抗して押圧することによりスイッチ素子５が操作される。
【０００５】
押圧部１の表面の一部には、第１のシボ加工部７（図５に右上りの斜線で表示）が形成され、押圧部１の裏面には、第１のシボ加工部７の領域を除く全体域に第２のシボ加工部８（図５に右下りの斜線で表示）が形成されている。各シボ加工部７，８は、多数の微細な凹凸からなり、後述する光源から出射される光を押圧部１の表面に向けて反射・拡散させる機能を有している。
【０００６】
基板２には、押圧部１の一つの側面と対向して第１の光源である複数のＬＥＤ９が、また押圧部１の前記側面と直交する他の一つの側面と対向して第２の光源である複数のＬＥＤ１０がそれぞれ設けられている。
【０００７】
第１の光源のＬＥＤ９が点灯したときには、その光が押圧部１の第１のシボ加工部７に向けて出射され、その第１のシボ加工部７に対応する押圧部１の表面の領域が明るく照光され、第２の光源のＬＥＤ１０が点灯したときには、その光が押圧部１の第２のシボ加工部８に向けて出射され、その第２のシボ加工部８に対応する押圧部１の表面の領域が明るく照光される。
【０００８】
各押しボタンスイッチＡは、図７に示すように、例えばエレベータのかご内操作盤におけるフェースプレート１５に上下に所定のピッチＰで並ぶように配設され、かごに乗った乗客が行先階を登録する際に操作される。なお、フェースプレート１５に配設された各押しボタンスイッチＡは、それぞれの押圧部１のみがフェースプレート１５の表面に露出し、その押圧部１を乗客が指先で押圧することで行先階が登録される。
【特許文献１】特開２００７−８４２０６公報
【発明の開示】
【発明が解決しようとする課題】
【０００９】
しかしながら、従来の押しボタンスイッチＡにおいては、光源としてのＬＥＤ９，１０が押圧部１の一つの側面側とそれと直交する他の一つの側面側とに分かれて配置されており、このため複数の押しボタンスイッチＡをフェースプレート１５に並べて配設する際に、その配列間に少なくともＬＥＤ９を配置させる分のスペースを確保しなければならず、その分、各押しボタンスイッチＡの配設ピッチＰが大きくなり、フェースプレート１５が大型化し、コンパクトな操作盤を構成することができなくなる。特に、高層ビル用などのように、操作盤のフェースプレートに多数の押しボタンスイッチが配設される場合に問題がある。
【００１０】
この発明はこのような点に着目してなされたもので、その目的とするところは、フェースプレートに小さなピッチで配設して小型の操作盤を構成することができるエレベータの押しボタンスイッチおよびその押しボタンスイッチを用いたエレベータ操作盤を提供することにある。
【課題を解決するための手段】
【００１１】
請求項１の発明は、透光性材料からなる押圧部の側面に対向して複数種の光源が設けられ、これら光源の点灯で、各光源ごとに対応する前記押圧部の表面の領域が照光されるエレベータの押しボタンスイッチにおいて、前記複数種の光源の全部が、前記押圧部の一つの側面側にまとめて配置されていることを特徴としている。
【００１２】
請求項２の発明は、請求項１に記載のエレベータの押しボタンスイッチにおいて、前記複数種の光源に対する通電を切替えて複数種の光源の一部や全部を点灯させることが可能な切替え手段を備えることを特徴としている。
【００１３】
請求項３の発明は、請求項１または２に記載のエレベータの押しボタンスイッチにおいて、前記複数種の光源の点灯色がその複数種ごとで異なることを特徴としている。
【００１４】
請求項４の発明は、請求項１に記載のエレベータの押しボタンスイッチを複数備えるエレベータ操作盤であって、その各押しボタンスイッチにおける押圧部の各光源が配置する側の側面が一方向に向く状態で各押しボタンスイッチが互いに隣り合うようにフェースプレートに配設されていることを特徴としている。
【発明の効果】
【００１５】
この発明によれば、押しボタンスイッチをフェースプレートに小さなピッチで配設して小型のエレベータ操作盤を構成することができる。
【発明を実施するための最良の形態】
【００１６】
以下、この発明の実施の形態について図１ないし図４を参照して説明する。なお、従来の構成と対応する部分には同一の符号を付して重複する説明を省略する。
【００１７】
図１にはこの発明の第１の実施形態に係る押しボタンスイッチＡの正面図を、図２には同じく側面図を示してある。この押しボタンスイッチＡにおいては、図１に示すように押圧部１の表面の左上角部に第１のシボ加工部２１（図１に右上りの斜線で表示）が、同じく左下角部に第３のシボ加工部２３（図１に右下りの斜線で表示）が形成されているとともに、押圧部１の裏面に図２に示すように第２のシボ加工部２２（図２に微細な凹凸で表示）が形成されている。表面の第１および第３のシボ加工部２１，２３は三角形状をなし、裏面の第２のシボ加工部２２は第１および第３のシボ加工部２１，２３の領域を除く裏面全体の範囲に形成されている。
【００１８】
押圧部１の一つの側面側には、第１の光源としての一つのＬＥＤ３１と、第２の光源としての三つのＬＥＤ３２と、第３の光源としての一つのＬＥＤ３３が設けられている。これらＬＥＤ３１，３２，３３は基板２の上に取り付けられ、押圧部１の側面に対向し、かつその側面に沿って並列するようにまとめて配置されている。そして第１の光源としてのＬＥＤ３１は押圧部１の第１のシボ加工部２１に向くように配置され、第２の光源としてのＬＥＤ３２は第２のシボ加工部２２に向くように配置され、第３の光源としてのＬＥＤ３３は第３のシボ加工部２３に向くように配置されている。
【００１９】
基板２の下面には切替え手段としての切替えスイッチ４０が取り付けられている。この切替えスイッチ４０は基板２のプリント回路を介して各ＬＥＤ３１，３２，３３に電気的に接続し、そのＬＥＤ３１，３２，３３に対する通電を切替えてＬＥＤ３１，３２，３３の一部や全部を点灯させるようになっている。
【００２０】
このように構成された押しボタンスイッチＡは、図３に示すように例えばかご内操作盤のフェースプレート１５に複数配設され、かごに乗り込んだエレベータ利用者が行先階を登録するために使用する操作盤として用いられる。
【００２１】
登録を待機するときには、第１の光源としてのＬＥＤ３１が点灯しており、このＬＥＤ３１の光が押圧部１の第１のシボ加工部２１に向けて出射され、これにより第１のシボ加工部２１の領域つまり押圧部１の表面の右上角部の領域のみが明るく照光され、この照光で登録操作が可能であることが利用者に表示される。この状態から利用者が行先階を登録するために押圧部１をスプリング４に抗して押し込むと、スイッチ素子５が動作してその信号がエレベータの運行を管理する制御盤（図示せず）に送られ、この制御盤に行先階が登録される。そしてこの際、切替えスイッチ４０を介して押しボタンスイッチＡの第１、第２、第３の光源としてのＬＥＤ３１，３２，３３が共に点灯するように通電が切替えられる。
【００２２】
この切替えによりＬＥＤ３１の光で押圧部１の第１のシボ加工部２１の領域が明るく照光され、ＬＥＤ３２の光で第２のシボ加工部２２の領域が明るく照光され、ＬＥＤ３３の光で第３のシボ加工部２３の領域が明るく照光される。すなわち、押圧部１の表面の全体が照光され、これにより行先階の登録が完了したことが表示される。
【００２３】
かごが目的の行先階に到達して停止した際には、制御盤による制御で、切替えスイッチ４０を介して押しボタンスイッチＡの第１、第２の光源としてのＬＥＤ３１，３２が消灯し、第３の光源としてのＬＥＤ３３のみが点灯するように通電が切替えられる。
【００２４】
この切替えにより第３の光源としてのＬＥＤ３３の光で押圧部１の第３のシボ加工部２３の領域、つまり押圧部１の表面の右下角部の領域のみが明るく照光され、これによりかごが行先階に到達したことが表示される。
【００２５】
かご内操作盤のフェースプレート１５に配設された各押しボタンスイッチＡは、図３に示すように、すべての光源（ＬＥＤ３１，３２，３３）がまとめて組み付けられた押圧部１１の一つの側面側をそれぞれ一方向（図における左方向）に向けた状態で互いに隣り合って並ぶように配置され、その互いに隣り合う側の側面には光源が何ら配置されていない。したがって各押しボタンスイッチＡを互いに近接して密に並べてその配設ピッチＰを小さくすることができる。
【００２６】
このため、フェースプレート１５の長さを短くでき、かご内操作盤を小型に構成することができる。特に、高層ビル用のエレベータのようにフェースプレート１５に多数の押しボタンスイッチＡを配設するような場合に有効となる。
【００２７】
図３においては、各押しボタンスイッチＡを縦方向に配列させたが、図４に示すように横方向に配列させるような場合であってもよい。また、各押しボタンスイッチＡはかご内操作盤のフェースプレートに設ける場合に限らず、エレベータホールに設ける乗り場操作盤のフェースプレートに設けるような場合であってもよい。
【００２８】
さらに、押しボタンスイッチＡに設ける第１、第２、第３の光源としてのＬＥＤ３１，３２，３２をそれぞれ異なる点灯色のものとし、押圧部１の表面を異なる色で照光するように構成することも可能である。さらにまた、各光源への通電を切替える切替え手段としての切替えスイッチ４０に代えてジャンパーピンなどを用いることも可能である。
【図面の簡単な説明】
【００２９】
【図１】この発明の一実施形態に係る押しボタンスイッチを示す正面図。
【図２】この発明の一実施形態に係る押しボタンスイッチを示す側面図。
【図３】押しボタンスイッチをエレベータ操作盤のフェースプレートに配設した状態の一例を示す正面図。
【図４】押しボタンスイッチをエレベータ操作盤のフェースプレートに配設した状態の他の一例を示す正面図。
【図５】従来の押しボタンスイッチを示す正面図。
【図６】従来の押しボタンスイッチを示す側面図。
【図７】従来の押しボタンスイッチをエレベータ操作盤のフェースプレートに配設した状態を示す正面図。
【符号の説明】
【００３０】
１…押圧部
２…基板
５…スイッチ素子
１５…フェースプレート
２１．２２．２３…シボ加工部
３１．３２．３３…ＬＥＤ
４０…切替えスイッチ
【図１】
2009249170.tif 000003
【図２】
2009249170.tif 000004
【図３】
2009249170.tif 000005
【図４】
2009249170.tif 000006
【図５】
2009249170.tif 000007
【図６】
2009249170.tif 000008
【図７】
2009249170.tif 000009